(57)【要約】      （修正有）【課題】ボール形状や安定の悪い物、小物を収納でき、かつ棚板の斜め使用等、多彩な使用方法を可能とする棚板を提供する。【解決手段】長方形、又は正方形の底板２外周の上、或いは外周側面の前後左右の四方をフレーム３，４により囲い、収納機能を持たせた盆形状の四方フレーム式棚板とする。或いは長方形、又は正方形底板の外周の上、又は側面の左右、及び前方、又は後方の三方をフレームにより囲う三方フレーム式棚板とする。受け皿的な用途で球状や不安定なもの、或いは小物等の収納が可能となる。又引き出し的使途により収納整理機能ができ、取り外して盆としても移動可能となり、キッチンボード、リビングボード等多用途に応用可能となる。【選択図】図１
0003193071.tif 000002
【実用新案登録請求の範囲】
【請求項１】
キャビネット用棚板であって、その形状は長方形、又は正方形をした底板の外周の上、或いは外周の側面の前後左右、四方をフレームにて囲い、収納機能を持つ盆形状とした、多用途使用能四方フレーム式棚板。
【請求項２】
キャビネット用棚板であって、その形状は長方形、又は正方形をした底板の外周の上、或いは外周の側面の左右、及び前方、又は後方の三方をフレームにより囲い、収納機能を持つ盆形状とした多用途使用可能三方フレーム式棚板。
【考案の詳細な説明】
【技術分野】
【０００１】  本考案はキャビネット用棚板に関するものである。
【背景技術】
【０００２】  従来の多くのキャビネット用棚板はパネル形状である。
【先行技術文献】
【非特許文献】
【０００３】
【非特許文献１】  デイノスリビング２０１３  １３０号ｐ１８０〜２１３
【考案の開示】
【考案が解決しようとする課題】
【０００４】  従来の多くのキャビネット用棚板はパネル形状であり、水平設置がほとんどで用途が限定され、ボール形状や安定の悪い物、小さいものを収納するのに別途収納用の箱等を必要とする点を解決課題とする。
【課題を解決するための形態】
【０００５】  本考案は問題点解決のため、長方形、又は正方形の底板外周の左右、及び前後四方をフレームにより囲い、収納機能を持たせた盆形状の棚板、或いは長方形、又は正方形の底板外周の左右、及び前方、又は後方の三方をフレームにより囲い収納機能を持たせた盆形状の棚板を多用途使用可能棚板として問題点の解決手段とするものである。
【考案の効果】
【０００６】  収納機能を持たせた四方フレーム、或いは三方フレームの盆形状の多用途使用可能棚板により、普通の棚板としての用途、受け皿的な用途で球状や不安定なもの、小物等の収納が可能となり、引き出しとしての用途により収納機能ができ、盆としての移動可能機能によりキッチンボード、リビングボード等多用途に応用可能となる、又四方フレーム、或いは三方フレームの棚板を斜めに固定しマガジンデイスプレイ、或いは薄型シューズボックスの棚板としての用途等、多用途に使用、応用が可能な効果がある。
【図面の簡単な説明】
【０００７】
【図１】  多用途使用可能四方フレーム式棚板斜視図
【図２】  多用途使用可能四方フレーム式棚板付きキャビネット例１斜視図
【図３】  多用途使用可能四方フレーム式棚板付きキャビネット例２斜視図
【図４】  多用途使用可能三方フレーム式棚板斜視図
【図５】  多用途使用可能三方フレーム式棚板付きキャビネット例斜視図
【考案を実施するための形態】
【０００８】  上記考案を実施するため、長方形、又は正方形をした底板の外周の左右、及び前後、四方をフレームにより囲い、収納機能を持たせた盆形状の棚板、或いは長方形、又は正方形の底板の外周両サイド、及び前方、又は後方の三方をフレームにより囲い、収納機能を持たせた盆形状の多用途使用可能棚板によって、普通の棚板としての用途、受け皿的用途、引き出しとしての用途、盆として機能、又は四方フレーム、或いは三方フレーム棚板を斜めに固定しマガジンディスプレイ、或いはシューズボックス用の棚板としての用途等、多用途に使用可能な多用途使用可能三方、或いは四方フレーム式棚板を実施するための形態を図１〜図５を参照して説明する。
【実施例】
【０００９】  以下、添付図に従って実施例を説明する。図１は請求項１に該当する多用途使用可能四方フレーム式棚板の形状の説明図である。四方フレーム式棚板１は長方形、又は正方形底板２の外周沿いを左右フレーム３、及び前後フレーム４によって四方を囲い、収納機能を持たせた盆形状の棚板である。フレーム３、４の形状、材質、底板２とフレーム３，４が一体成型されたもの、或いは底板２の外周沿い上部、或いは外周の縁まわりにフレーム３，４として別部材を貼り付ける場合も請求項１に含まれる。【００１０】  図２は同じく請求項１に該当するキャビネット５に多用途使用可能四方フレーム式棚板１の設置時の参考例図である。図示の如く多用途使用可能棚板１により球形のもの、小さいもの、安定の悪いもの等の収納が可能となり、もちろん普通の棚板としても使用可能である、又多用途使用可能棚板１を取り外し、盆として移動も可能となる。図示の下段棚板６は多用途使用可能棚板１の裏面を仕上げ処理し普通の棚板６として使用した場合の使用例である。図示の如く裏面を仕上げ処理した場合普通の棚板としても使用可能となり裏面の仕上げ処理をする場合も請求項１に含まれる。棚受具７は多種多様であり図示に限定するものではない。【００１１】  図３は同じく請求項１に該当するキャビネット５に多用途使用可能四方フレーム式棚板１を設置した参考例の図である。図示下段の多用途使用可能棚板１の左右フレーム３、及び前後のフレーム４の背を高くして引き出し的使途８も可能となる。四方フレーム式棚板の設置にスライドレール９、或いは棚受けレール１０等の使用の有無、スライドレール、受けレールの種類等、及びフレーム３，４の高さは限定するものではない。図示の如く、本請求項の多用途使用可能棚板１の使途は食器棚、書棚、ラック等ほとんどのキャビネットに広く応用可能なものである。【００１２】  図４は請求項２に該当する多用途使用可能三方フレーム式棚板１１の形状を説明する図である。三方フレーム式棚板１１は長方形、又は正方形をした底板２の外周沿いを左右フレーム３、及び前、或いは後のフレーム４によって三方を囲い、収納機能を持たせた盆形状の棚板である。請求項１と同じくフレーム３、４の形状、材質、底板２との一体成型、或いは底板２の外周沿い上部、或いは外周の縁まわりにフレーム３，４として別部材を貼り付ける場合、及び裏面を普通の棚板としても使用可能な裏面仕上げをする場合も請求項２に含まれる。【００１３】  図５は請求項２に該当する多用途使用可能三方フレーム式棚板１１の設置参考例の図である。図示のように三方フレーム式棚板１１を前後フレーム４の側を前にして、斜めに金具により固定することにより、マガジンディスプレー、或いは薄型シューズボックス用の棚板等に応用可能な例を示す図である。最上段の棚板は三方フレーム式棚板１１を裏向け、普通の棚板として、或いは最下段の棚板のように普通の水平棚板としても使用可能である。図示の如く、多用途使用可能三方フレーム式棚板１の使途はローボード、書棚、ラック等幅広くキャビネットに応用可能なものである。
【符号の説明】
【００１４】  １  多用途使用可能四方フレーム式棚板
２  底板
３  左右フレーム
４  前後フレーム
５  キャビネット
６  多用途使用可能四方フレーム式棚板裏面使用時
７  棚受け具
８  深いフレームを有する四方フレーム式棚板
９  スライドレール
１０  棚受けレール
１１  多用途使用可能三方フレーム式棚板
１２  棚板固定金具
【図１】
0003193071.tif 000003
【図２】
0003193071.tif 000004
【図３】
0003193071.tif 000005
【図４】
0003193071.tif 000006
【図５】
0003193071.tif 000007